(57)【要約】【課題】高目付部及び低目付部を有する吸収コアを備える吸収性物品において、吸収コアの吸収性能を有効活用することを目的とする。【解決手段】吸収性物品１は、吸収コア４０ａ及びコアラップ４０ｂを有する吸収体４０と、吸収体の非肌対向面側に位置するインジケータ８０と、を備える。吸収コアは、高目付部４７と、高目付部よりも低い目付の吸収材料を有する低目付部４８と、を有する。高目付部は、前後方向及び幅方向の一方である第１方向に延びる。インジケータは、第１方向と直交する第２方向において高目付部に隣接する低目付部の非肌対向面側に設けられている。【選択図】図１
2018015469.tif 000002
【特許請求の範囲】
【請求項１】
前後方向と、
前記前後方向と直交する幅方向と、
吸収材料を含む吸収コア及び前記吸収コアを覆うコアラップを有する吸収体と、
前記吸収体の非肌対向面側に位置するインジケータと、を備える吸収性物品であって、
前記吸収コアは、高目付部と、前記高目付部よりも低い目付の吸収材料を有する低目付部と、を有しており、
前記高目付部は、前記前後方向及び前記幅方向の一方である第１方向に延び、
前記インジケータは、前記第１方向と直交する第２方向において前記高目付部に隣接する前記低目付部の非肌対向面側に設けられている、吸収性物品。
【請求項２】
前記インジケータと前記低目付部は、前記第２方向において前記高目付部の間に設けられている、請求項１に記載の吸収性物品。
【請求項３】
前記第１方向は、前記前後方向であり、
前記第２方向は、前記幅方向である、請求項１又は請求項２に記載の吸収性物品。
【請求項４】
前記高目付部は、前記吸収コアの前記前後方向の全域に亘って連続して設けられており、
前記前後方向において、前記インジケータの外端縁は、前記高目付部の外端縁よりも内側に位置する、請求項３に記載の吸収性物品。
【請求項５】
前記高目付部は、前記吸収コアの外側縁よりも前記幅方向の内側に位置する、請求項３又は請求項４に記載の吸収性物品。
【請求項６】
前記吸収体は、前記一対の第１折り線の間に位置し、前記吸収体の前記幅方向の中央を含む第１領域と、
前記第１折り線より幅方向内側に位置する前記第２折り線と前記第１折り線との間に位置し、前記第１領域の肌対向面側にそれぞれ配置される一対の第２領域と、
前記第２折り線よりも前記幅方向の外側に位置し、前記第２領域の肌対向面側にそれぞれ配置される一対の第３領域と、を有し、
前記高目付部は、前記第１領域、前記第２領域及び前記第３領域が重なった重畳部によって構成され、
前記低目付部は、前記重畳部以外の部分によって構成される、請求項１から請求項５のいずれかに記載の吸収性物品。
【請求項７】
前記コアラップは、セルロース繊維を含むティッシュによって構成されており、
前記重畳部において、前記第１領域の肌対向面側のコアラップと前記第２領域の非肌対向面側のコアラップとは、当接している、請求項６に記載の吸収性物品。
【請求項８】
前記吸収体は、吸収材料としてのパルプを有し、
前記第２領域のパルプの目付は、前記第１領域のパルプの目付及び前記第３領域のパルプの目付よりも低く、
前記重畳部において、前記第２領域のコアラップ同士が当接し、かつ前記第２領域の肌対向面側のコアラップと前記第３領域の非肌対向面側のコアラップとが当接している、請求項７に記載の吸収性物品。
【請求項９】
前記重畳部において、前記第２領域の肌対向面と前記第３領域の非肌対向面とは、接合されていない、請求項６から請求項８のいずれかに記載の吸収性物品。
【発明の詳細な説明】
【技術分野】
【０００１】
本発明は、高目付部及び低目付部を有する吸収コアと、吸収コアの非肌対向面側に設けられたインジケータと、を備える吸収性物品に関する。
【０００２】
高目付部と、低目付部と、を有する吸収コアを備えた吸収性物品が提供されている（例えば、特許文献１参照）。特許文献１の吸収コアには、低目付部として非積繊部と、非積繊部の幅方向外側に配置された高目付部と、が設けられている。特許文献１のインジケータは、非積繊部の非肌対向面側に配置されている（特許文献１の図５参照）。
【先行技術文献】
【特許文献】
【０００３】
【特許文献１】特開２０１２−２２３２３０号公報
【発明の概要】
【発明が解決しようとする課題】
【０００４】
特許文献１の吸収性物品に排出された体液は、非積繊部及び高目付部に流入する。非積繊部は、吸収材料が設けられてなく、高目付部と比較して体液を保持できない。よって、非積繊部の非肌対向面側に位置するインジケータは、体液が排出されると、直ちに変色し易い。使用者は、変色したインジケータを視認することにより、交換時期であると判断し、吸収性物品を交換することがある。吸収コアが十分な体液を保持していない状態であってもインジケータが直ちに変色するため、吸収コアの吸収性能を有効活用できないことがあった。
【０００５】
本発明は、上述の課題に鑑みてなされたものであり、高目付部及び低目付部を有する吸収コアを備える吸収性物品において、吸収コアの吸収性能を有効活用することを目的とする。
【課題を解決するための手段】
【０００６】
本開示に係る吸収性物品（使い捨ておむつ１０）は、前後方向（前後方向Ｌ）と、前記前後方向と直交する幅方向（幅方向Ｗ）と、吸収材料を含む吸収コア（吸収コア４０ａ）及び前記吸収コアを覆うコアラップ（コアラップ４０ｂ）を有する吸収体（吸収体４０）と、前記吸収体の非肌対向面側に位置するインジケータ（インジケータ８０）と、を備える吸収性物品であって、前記吸収コアは、高目付部（高目付部４７）と、前記高目付部よりも低い目付の吸収材料を有する低目付部（低目付部４８）と、を有しており、前記高目付部は、前記前後方向及び前記幅方向の一方である第１方向に延び、前記インジケータは、前記第１方向と直交する第２方向において前記高目付部に隣接する前記低目付部の非肌対向面側に設けられていることを要旨とする。
【発明の効果】
【０００７】
本開示によれば、高目付部及び低目付部を有する吸収コアを備える吸収性物品において、吸収コアの吸収性能を有効活用することができる。
【図面の簡単な説明】
【０００８】
【図１】一実施形態における使い捨ておむつの平面図である。
【図２】図１に示す使い捨ておむつの背面図である。
【図３】図１に示したＡ−Ａ線に沿った使い捨ておむつの断面図である。
【図４】吸収体の展開平面図である。
【図５】図４のＢ−Ｂ線に沿った吸収体の断面図である。
【図６】図２に示す背面図において体液の拡散態様を模式的に示す図である。
【図７】使い捨ておむつの着用状態を模式的に示した断面図である。
【発明を実施するための形態】
【０００９】
本明細書及び添付図面の記載により、少なくとも以下の事項が明らかとなる。
前後方向と、
前記前後方向と直交する幅方向と、
吸収材料を含む吸収コア及び前記吸収コアを覆うコアラップを有する吸収体と、
前記吸収体の非肌対向面側に位置するインジケータと、を備える吸収性物品であって、
前記吸収コアは、高目付部と、前記高目付部よりも低い目付の吸収材料を有する低目付部と、を有しており、
前記高目付部は、前記前後方向及び前記幅方向の一方である第１方向に延び、
前記インジケータは、前記第１方向と直交する第２方向において前記高目付部に隣接する前記低目付部の非肌対向面側に設けられている、吸収性物品。
【００１０】
高目付部は、低目付部と比較して、吸収材料の目付が比較的高く、着用時に体圧を受けることによって密度が比較的高くなり、体液を引き込み易い。よって、吸収性物品に排出された体液は、高目付部に集まり、高目付部によって前後方向に拡散する。一方、低目付部は、高目付部と比較して目付の低い吸収材料を有し、体液を引き込み難い。高目付部と低目付部とが隣接しており、かつ高目付部が体液を引き込み易いため、低目付部に導かれる体液が少なくなったり、低目付部内に導かれた体液が高目付部に移行したりして、低目付部内に保持される体液の量が少なくなる。低目付部内に保持される体液が少ないため、低目付部の非肌対向面側に位置するインジケータは、体液に触れにくく、変色し難い。体液が排出された際に、直ちにインジケータが変色せず、高目付部によって体液が第１方向に拡散した状態で反応し易いため、吸収コアの吸収性能を有効活用することができる。
【００１１】
かかる吸収性物品であって、
前記インジケータと前記低目付部は、前記第２方向において前記高目付部の間に設けられていることが望ましい。
【００１２】
このような吸収性物品によれば、第２方向における高目付部の間にインジケータと低目付部が設けられているため、低目付部に流入した体液を両側に位置する高目付部に引き込み、引き込んだ体液を第１方向に拡散できる。高目付部によって体液を引き込むことにより、インジケータが直ちに変色することを抑制し、また高目付部によって体液を拡散することにより、吸収コア全体の吸収性能を有効活用できる。
【００１３】
かかる吸収性物品であって、
前記第１方向は、前記前後方向であり、
前記第２方向は、前記幅方向であることが望ましい。
【００１４】
このような吸収性物品によれば、高目付部によって体液を前後方向に拡散し、吸収コアの前後方向の全域を有効活用できる。また、低目付部に排出された体液を高目付部に引き込み、かつ高目付部によって前後方向に体液を拡散するため、幅方向に体液が拡散し難く、横漏れを抑制できる。
【００１５】
かかる吸収性物品であって、
前記高目付部は、前記吸収コアの前記前後方向の全域に亘って連続して設けられており、
前記前後方向において、前記インジケータの外端縁は、前記高目付部の外端縁よりも内側に位置することが望ましい。
【００１６】
使用者によっては、インジケータの一部が変色しても交換時期であると判断せず、インジケータの前後方向の外端縁が変色することにより交換時であると判断することがある。高目付部は、低目付部と比較して前後方向に体液を拡散し易く、インジケータの外端縁が変色した状態では、当該インジケータの外側縁よりも前後方向の外側の領域において体液を保持している。インジケータの外側縁が高目付部の外端縁よりも前後方向の内側に位置するため、高目付部の外端縁に体液が到達する前にインジケータの外端縁の変色によって交換時期を示すことができ、吸収コアの外端縁から体液が漏れることを抑制できる。
【００１７】
かかる吸収性物品であって、
前記高目付部は、前記吸収コアの外側縁よりも前記幅方向の内側に位置することが望ましい。
【００１８】
体液は、高目付部に引き込まれ、高目付部に集まり易い。高目付部が吸収コアの外側縁よりも前記幅方向の内側に位置するため、高目付部に集まった体液が吸収コアの外側縁から漏れることを抑制し、横漏れを抑制できる。
【００１９】
かかる吸収性物品であって、
前記吸収体は、前記一対の第１折り線の間に位置し、前記吸収体の幅方向の中央を含む第１領域と、
前記第１折り線より幅方向内側に位置する前記第２折り線と前記第１折り線との間に位置し、前記第１領域の肌対向面側にそれぞれ配置される一対の第２領域と、
前記第２折り線よりも幅方向の外側に位置し、前記第２領域の肌対向面側にそれぞれ配置される一対の第３領域と、を有し、
前記高目付部は、前記第１領域、前記第２領域及び前記第３領域が重なった重畳部によって構成され、
前記低目付部は、前記重畳部以外の部分によって構成されることが望ましい。
【００２０】
このような吸収性物品によれば、体液を高目付部である重畳部に引き込み、高目付部よって体液を拡散し、吸収コア全体の吸収性能を有効活用することができる。また、吸収体の一対の第２折り線間には、第１領域のみが配置され、一対の第２折り線よりも幅方向外側には、第１領域、第２領域及び第３領域が配置される。そのため、吸収体の一対の第２折り線間は、吸収体の厚みが比較的薄く、一対の第２折り線よりも幅方向外側の領域と比較して非肌面側に凹む。吸収体の幅方向中央が非肌面側に凹んでいるため、着用者と吸収体の間に第１方向に延びる空間を形成できる。当該空間によって体液を第１方向に拡散することができ、吸収体の第１方向の全域にわたって吸収性能を有効活用し易くなる。
【００２１】
かかる吸収性物品であって、
前記コアラップは、セルロース繊維を含むティッシュによって構成されており、
前記重畳部において、前記第１領域の肌対向面側のコアラップと前記第２領域の非肌対向面側のコアラップとは、当接していることが望ましい。
【００２２】
このような吸収性物品によれば、セルロース繊維を含むティッシュによって重畳部の体液の拡散を促進できる。第１領域のコアラップと第２領域のコアラップとが当接しているため、２層のティッシュで効率よく拡散でき、また第２領域から第１領域への体液の移行を促し、吸収コアの厚み方向全域を有効活用し易くなる。
【００２３】
かかる吸収性物品であって、
前記吸収体は、吸収材料としてのパルプを有し、
前記第２領域のパルプの目付は、前記第１領域のパルプの目付及び前記第３領域のパルプの目付よりも低く、
前記重畳部において、前記第２領域のコアラップ同士が当接し、かつ前記第２領域の肌対向面側のコアラップと前記第３領域の非肌対向面側のコアラップとが当接していることが望ましい。
【００２４】
このような吸収性物品によれば、第１領域のコアラップ、第２領域の２層のコアラップ、及び第３領域のコアラップが当接しているため、４層のティッシュによって効率よく体液を拡散できる。また、第２領域のパルプの目付が第１領域パルプの目付及び第３領域パルプの目付よりも低いため、重畳部の厚みが厚くなり過ぎることを抑制でき、非肌対向面側に位置する第１領域に体液を導き易くなる。また、第２領域のパルプの目付よりも第１領域のパルプの目付が高いため、第２領域から第１領域に体液が移行し易くなり、最も非肌対向面側に位置する第１領域に体液を導き易くなる。
【００２５】
かかる吸収性物品であって、
前記重畳部において、前記第２領域の肌対向面と前記第３領域の非肌対向面とは、接合されていないことが望ましい。
【００２６】
このような吸収性物品によれば、第２領域の肌対向面と第３領域の非肌対向面とが接合されていないため、第２領域と第３領域の間に空間を設け、当該空間によって体液を第１方向に拡散することができる。
【００２７】
＝＝＝本実施の形態に係る吸収性物品について＝＝＝
次に、本発明に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００２８】
（１）使い捨ておむつの全体概略構成
図１は、本実施形態に係る使い捨ておむつ１０の展開状態の平面図である。図２は、図１に示す使い捨ておむつの背面図であり、図３は、図１に示したＡ−Ａ線に沿った使い捨ておむつ１０の断面図である。図４は、展開状態の吸収体の平面図である。図５は、図４に示すＢ−Ｂ線に沿った吸収体の断面図である。図１に示す平面図及び図２に示す背面図は、使い捨ておむつを構成するトップシート５０及びサイドシート７０等を皺が形成されない状態まで伸長させた伸長状態の図である。
【００２９】
使い捨ておむつ１０は、前胴回り域２０と、股下域２５と、後胴回り域３０と、を有する。前胴回り域２０は、着用者の前胴回り部（腹部分）と接する部分である。また、後胴回り域３０は、着用者の後胴回り部（背部分）と接する部分である。股下域２５は、前胴回り域２０と後胴回り域３０との間に位置し、脚回り開口部３５が設けられる領域である。脚回り開口部３５は、使い捨ておむつの外側縁に設けられており、使い捨ておむつが着用者に着用された状態で着用者の脚回りに沿って配置される部分である。なお、外側縁は、幅方向の外側端であり、内側縁は、幅方向の内側端である。
【００３０】
なお、本実施形態では、前胴回り域２０から後胴回り域３０に向かう方向を前後方向Ｌと呼び、前後方向Ｌと直交する方向を幅方向Ｗと呼び、着用者の肌対向面側Ｔ１と、肌対向面側Ｔ１と反対側であり、着用者の非肌対向面側Ｔ２と、を含む方向を厚み方向Ｔと呼ぶ。
【００３１】
使い捨ておむつ１０は、吸収体４０と、吸収体４０の肌対向面側Ｔ１に配置される肌面シートと、吸収体４０の非肌対向面側Ｔ２に位置する非肌面シートと、を少なくとも有する。吸収体４０は、少なくとも股下域２５に配置される。図５に示すように、吸収体４０は、吸収コア４０ａと、コアラップ４０ｂと、を有する。吸収コア４０ａは、従来の使い捨ておむつと同様の材料によって構成でき、粉砕パルプや高吸収ポリマー（ＳＡＰ）などの吸収材料を含んでおり、公知の部材や材料を用いて適宜構成することができる。
【００３２】
コアラップ４０ｂは、吸収材料である吸収コア４０ａを覆うシートである。コアラップ４０ｂは、透液性を有する各種の繊維不織布もしくはティッシュによって構成される。本実施の形態のコアラップ４０ｂは、セルロース繊維を含むティッシュによって構成されている。セルロースを含むティッシュによってコアラップを構成することにより、体液の拡散性を高めることができる。吸収体４０については、後述にて詳細に説明する。
【００３３】
肌面シートは、トップシート５０と、サイドシート７０と、を有する。トップシート５０は、不織布や織物などの液透過性のシートによって形成される。トップシート５０は、着用者の肌に当接するシートである。サイドシート７０は、トップシート５０の外側縁を覆い、トップシート５０よりも幅方向外側に延出する。
【００３４】
非肌面シートは、少なくともバックシート６０ａと外装シート６０を有する。バックシート６０ａは、液不透過性を有し、吸収コア４０ａ及びコアラップ４０ｂの非肌対向面側Ｔ２に配置される。外装シート６０は、バックシート６０ａの非肌対向面側Ｔ２に配置される。バックシート６０ａの肌対向面側Ｔ１であって、吸収体４０の非肌対向面側Ｔ２には、インジケータ８０が設けられている。インジケータ８０は、体液に接触することにより、色が変化するように構成されている。インジケータ８０の配置については、後述にて詳細に説明する。
【００３５】
サイドシート７０には、ファスニングテープ９０が備えられる。ファスニングテープ９０は、後胴回り域３０において、幅方向Ｗに沿って延び、前胴回り域２０のターゲット部９５に止着されることにより、使い捨ておむつ１０を着用者の身体に保持する。
【００３６】
（２）吸収体の構成
次いで、吸収体４０の構成について詳細に説明する。吸収体４０は、図４及び図５に示すように、展開状態において１枚のシート状である。吸収体４０は、前後方向に延びる一対の第１折り線ＦＬ１と、前後方向に延びる一対の第２折り線ＦＬ２と、を有する。一対の第１折り線ＦＬ１及び一対の第２折り線ＦＬ２は、吸収体を折り畳むための折り線であり、吸収体を折り畳んだ状態で形成される。吸収体４０は、一対の第１折り線ＦＬ１と一対の第２折り線ＦＬ２とによって４か所で折られており、複数層に積層されている。一対の第１折り線ＦＬ１同士、一対の第２折り線ＦＬ２同士、及び第１折り線ＦＬ１と第２折り線ＦＬ２は、それぞれ幅方向において離間している。図５に示すように、吸収体４０の展開状態（第１折り線ＦＬ１及び第２折り線ＦＬ２によって折り畳まれていない状態）において、第２折り線ＦＬ２は、第１折り線ＦＬ１よりも幅方向の外側に位置する。図３に示すように、吸収体の折り畳み状態（第１折り線ＦＬ１及び第２折り線ＦＬ２によって折り畳まれた状態）において、第２折り線ＦＬ２は、第１折り線ＦＬ１よりも幅方向の内側に位置する。
【００３７】
吸収体４０は、折り畳み状態において、一対の第１折り線ＦＬ１の間に位置する第１領域４０１と、第１折り線ＦＬ１と第２折り線ＦＬ２との間に位置する一対の第２領域４０２と、第２折り線ＦＬ２よりも幅方向の外側に位置する一対の第３領域４０３と、を有する。図４及び図５に示す展開状態において、第１領域４０１は、吸収体４０の幅方向Ｗの中央を含み、一対の第１折り線ＦＬ１の間の領域である。第２領域４０２は、展開状態において第１領域４０１を挟んで両側に位置し、第１折り線ＦＬ１と第２折り線ＦＬ２の間の領域である。第３領域４０３は、展開状態において第１領域４０１及び一対の第２領域４０２を挟んで両側に位置し、第２折り線ＦＬ２よりも幅方向外側の間の領域である。第１領域４０１、第２領域４０２、及び第３領域４０３は、幅方向Ｗにおいて連続している。第１領域４０１、第２領域４０２、第３領域４０３は、連続する１枚のコアラップ４０ｂによって覆われている。コアラップ４０ｂは、第１領域４０１、第２領域４０２及び第３領域４０３を跨っている。
【００３８】
吸収体４０は、第１折り線ＦＬ１によって着用者に対して谷折りされ、かつ第２折り線ＦＬ２によって着用者に対して山折りされる。折り畳み状態において、第１領域４０１の肌対向面側Ｔ１に第２領域４０２が配置され、第２領域４０２の肌対向面側Ｔ１に第３領域４０３が配置されている。第３領域４０３は、少なくとも一部が第２領域４０２の肌対向面側Ｔ１に配置されていればよい。吸収体４０は、第１折り線ＦＬ１及び第２折り線ＦＬ２によって折り畳まれるため、幅方向の寸法がコンパクトになる。
【００３９】
折り畳み状態で一対の第２折り線ＦＬ２は、幅方向Ｗにおいて離間している。第１折り線ＦＬ１と第２折り線ＦＬ２の間は、第１領域４０１、第２領域４０２、及び第３領域４０３が配置される重畳部４５を構成する。重畳部４５は、第１領域４０１、第２領域４０２及び第３領域４０３が積層された部分であり、第１折り線ＦＬ１と第２折り線ＦＬ２の間の部分である。一対の第２折り線ＦＬ２の間には、第１領域４０１のみが配置される。第３領域４０３の外側縁は、第１折り線ＦＬ１よりも幅方向Ｗの外側に位置する。第１折り線ＦＬ１よりも幅方向の外側には、第３領域４０３のみが配置される。
【００４０】
重畳部４５は、高目付部４７を構成し、重畳部４５以外の領域（一対の第２折り線ＦＬ２の間の領域、第１折り線ＦＬ１よりも幅方向の外側の領域）は、高目付部４７よりも目付が低く、低目付部４８を構成する。このような構成によれば、高目付部４７である重畳部４５に体液を引き込み、高目付部４７よって体液を拡散し、吸収コア４０ａ全体の吸収性能を有効活用することができる。なお、低目付部４８は、高目付部４７の吸収材料に対する１０％以上の目付の吸収材料を有する領域である。
【００４１】
高目付部４７及び低目付部４８は、折り畳み状態で設けられており、前後方向Ｌに延びている。本実施の形態における第１方向は、前後方向Ｌであり、第２方向は、幅方向Ｗである。高目付部４７及び低目付部４８は、折り畳み状態で幅方向Ｗにおいて隣接し、かつ幅方向Ｗにおいて交互に配置されている。高目付部４７によって体液を前後方向Ｌに拡散し、吸収コア４０ａの前後方向の全域を有効活用できる。また、低目付部４８に排出された体液のうち少なくとも一部の体液は、高目付部４７に引き込まれ、高目付部４７によって前後方向に拡散される。よって、体液が幅方向Ｗに拡散し難く、横漏れを抑制できる。
【００４２】
低目付部４８は、吸収コア４０ａの幅方向の中央に配置された第１低目付部４８１と、吸収コア４０ａの外側縁に配置された第２低目付部４８２と、を有する。第１低目付部４８１は、折り畳み状態における一対の第２折り線ＦＬ２の間の領域であり、第１領域のみによって構成されており、第２低目付部４８２は、折り畳み状態における第１折り線ＦＬ１よりも幅方向の外側の領域であり、第３領域のみによって構成されている。第１低目付部４８１は、幅方向Ｗにおいて高目付部４７によって挟まれている。
【００４３】
高目付部４７は、吸収コア４０ａの外側縁よりも幅方向Ｗの内側に位置している。吸収コア４０ａの外側縁には、第２低目付部４８２が設けられている。体液は、高目付部４７に引き込まれ、高目付部４７に集まり易い。高目付部４７が吸収コア４０ａの外側縁よりも幅方向の内側に位置するため、高目付部４７に集まった体液が吸収コア４０ａの外側縁から漏れ難く、横漏れを抑制できる。
【００４４】
第２領域４０２の吸収材料の目付は、第１領域４０１の吸収材料の目付よりも低く、第３領域４０３の吸収材料の目付よりも低い。具体的には、第１領域４０１は、パルプとＳＡＰを有し、第２領域４０２は、実質的にパルプを有しない。第２領域４０２は、設計上のパルプの目付が零であるが、製造工程において混入したパルプを有していてもよい。第１領域４０１のパルプの目付及び第３領域４０３のパルプの目付は、第２領域４０２のパルプの目付よりも高い。なお、変形例において、第２領域４０２の吸収材料の目付は、第１領域４０１の吸収材料の目付と同じであってもよいし、第３領域４０３の吸収材料の目付と同じであってもよい。また、第２領域の吸収材料全体の目付が比較的高く構成されていればよく、第２領域４０２のＳＡＰの目付が第１領域のＳＡＰの目付及び第３領域のＳＡＰの目付よりも高くてもよい。
【００４５】
第２領域４０２のパルプの目付が第１領域４０１のパルプの目付及び第３領域４０３のパルプの目付と比較して低いため、重畳部４５の厚みが厚くなり過ぎることを抑制でき、非肌対向面側Ｔ２に位置する第１領域４０１に体液を導き易くなる。また、第２領域４０２のパルプの目付よりも第１領域４０１のパルプの目付が高いため、第２領域４０２から第１領域４０１に体液が移行し易くなり、非肌対向面側Ｔ２に位置する第１領域４０１に体液を導き易くなる。第１折り線ＦＬ１及び第２折り線ＦＬ２には、パルプの目付の違いによる剛性差が形成される。よって、第１折り線ＦＬ１及び第２折り線ＦＬ２を基点に吸収体４０をより折り畳み易くなる。
【００４６】
第２領域４０２の厚みは、第１領域４０１の厚みよりも薄く、第３領域４０３の厚みよりも薄い。第１折り線ＦＬ１及び第２折り線ＦＬ２は、吸収体４０の厚み及び目付が変化する境界であり、剛性が変化する境界となる。よって、第１折り線ＦＬ１及び第２折り線ＦＬ２を基点に吸収体４０を折り畳み易い。
【００４７】
コアラップ４０ｂは、重畳部４５において厚み方向Ｔに４層に積層されている。第２領域４０２のコアラップ４０ｂ同士は、当接している。第２領域４０２の肌対向面側Ｔ１のコアラップ４０ｂと第３領域４０３の非肌対向面側Ｔ２のコアラップ４０ｂとは、当接している。第１領域４０１の肌対向面側Ｔ１のコアラップ４０ｂと第２領域４０２の非肌対向面側のコアラップ４０ｂとは、当接している。４層のティッシュによって効率よく体液を拡散できる。
【００４８】
トップシート５０は、一対の第２折り線ＦＬ２間に位置する第１領域４０１の肌対向面側Ｔ１と、第３領域４０３の肌対向面側Ｔ１と、に跨って配置されている。重畳部４５において、トップシート５０は、第１領域４０１と第２領域４０２の間、及び第２領域４０２と第３領域４０３の間に配置されていない。トップシート５０が第１領域４０１と第３領域４０３に跨って配置されているため、重畳部４５に幅方向内側に向かう力がかかった際に重畳部４５が幅方向内側に移動し難くなり、吸収体４０の変形を効果的に抑制できる。吸収体の折り構造を維持することができる。第１領域４０１、第２領域４０２及び第３領域４０３の３つの領域で排泄物を効率よく吸収し、排泄物の漏れを抑制できる。
【００４９】
（３）インジケータの配置
第１低目付部４８１の非肌対向面側Ｔ２には、インジケータ８０が設けられている。インジケータ８０は、幅方向Ｗにおいて高目付部４７に隣接する第１低目付部４８１の非肌対向面側に設けられている。高目付部４７は、低目付部４８と比較して吸収材料の目付が比較的高く、体圧を受けることによって密度が比較的高くなり、体液を引き込み易い。吸収性物品に排出された体液は、高目付部４７に集まり、高目付部４７によって前後方向に拡散する。一方、第１低目付部４８１は、高目付部４７と比較して、目付の低い吸収材料を有し、体液を引き込み難い。
【００５０】
図６は、図２に示す背面図において体液の拡散態様を模式的に示す図である。体液が拡散した領域は、図６において斜線を付した領域であり、高目付部４７における前後方向Ｌの長さが長く、低目付部４８における前後方向Ｌの長さが短い。高目付部４７に隣接する低目付部４８に体液が移行し易いため、低目付部４８の非肌対向面側に位置するインジケータ８０は、体液に触れ難く、変色しにくい。体液が排出された際に、直ちにインジケータが変色せず、高目付部によって体液が前後方向に拡散した状態で反応し易いため、吸収コアの吸収性能を有効活用することができる。また、低目付部４８に吸収材料が配置されているため、低目付部４８に吸収材料が配置されていない構成と比較して、低目付部４８内の体液がインジケータに触れるまでの時間が長くなり、インジケータ８０が直ちに変色することを抑制できる。
【００５１】
インジケータ８０及び第１低目付部４８１は、幅方向Ｗにおいて高目付部４７の間に設けられてよい。高目付部４７の間にインジケータ８０と低目付部４８が設けられていることにより、低目付部４８に流入した体液を両側に位置する高目付部４７に引き込み、引き込んだ体液を前後方向Ｌに拡散できる。高目付部４７によって体液を引き込むことにより、インジケータ８０が直ちに変色することを抑制し、高目付部４７によって体液を拡散することにより、吸収コア全体の吸収性能を有効活用できる。
【００５２】
高目付部４７及び低目付部４８は、吸収コア４０ａの前後方向の全域に亘って連続して設けられている。よって、高目付部４７の外端縁及び低目付部４８の外端縁は、吸収コア４０ａの外端縁に一致する。インジケータ８０の前後方向の外端縁は、高目付部４７の前後方向の外端縁よりも前後方向の内側に位置する。使用者によっては、インジケータの一部が変色しても交換時期であると判断せず、インジケータの前後方向の外端縁が変色すると交換時期であると判断することがある。高目付部４７は、低目付部４８と比較して前後方向に体液が拡散し易く、インジケータ８０の外端縁が変色した状態では、当該インジケータ８０の外側縁よりも前後方向の外側の領域においても体液を保持している。前後方向においてインジケータ８０の外側縁が高目付部４７の外端縁よりも内側に位置するため、高目付部４７の外端縁に体液が到達する前に、インジケータ８０の外端縁の変色によって交換時期を示すことができ、吸収コアの外端縁から体液が漏れることを抑制できる。
【００５３】
（４）吸収体同士の接合態様
次いで、吸収体同士の接合態様について説明する。使い捨ておむつ１０には、吸収体４０が折り畳まれた折り畳み状態において、第１接合部Ｒ１と、第２非接合部ＮＲ２と、が設けられている。第１接合部Ｒ１は、ホットメルト型接着剤等の接着剤が配置された領域である。第２非接合部は、ホットメルト型接着剤等の接着剤が配置されていない領域、又は接合部よりも接着力が弱くなるように接着剤が配置された領域である。
【００５４】
第１接合部Ｒ１は、重畳部４５において、第１領域４０１の肌対向面と第２領域４０２の非肌対向面とが接合された部分である。第１接合部Ｒ１は、第１領域４０１の肌対向面と第２領域４０２の非肌対向面とが対向した全面に設けられていてもよいし、当該対向した面の一部に設けられていてもよい。第１接合部Ｒ１によって第１領域４０１のコアラップと第２領域４０２のコアラップが接合されている。コアラップ間に空間が形成されず、２層のコアラップによって液の拡散を促進でき、また第２領域４０２から第１領域４０１への体液の移行を促進できる。
【００５５】
第２非接合部ＮＲ２は、重畳部４５において、第２領域４０２の肌対向面と第３領域４０３の非肌対向面とが接合されていない部分である。第２非接合部ＮＲ２は、少なくとも股下域２５において第２領域４０２の肌対向面と第３領域４０３の非肌対向面とが対向した全面に設けられている。第２非接合部ＮＲ２は、折り畳み状態において第２領域４０２の肌対向面と第３領域４０３の非肌対向面とが接合されており、かつ着用されて幅方向の外側から幅方向の内側に向かう力がかかった際に第１接合部よりも先に非接合状態となる構成を含む概念である。着用時に股下域２５において第２領域４０２の肌対向面と第３領域４０３の非肌対向面とが接合されていないため、幅方向の外側から幅方向の内側に向かう力がかかった際に、第２領域４０２と第３領域４０３の間に空間を設け、当該空間によって体液を前後方向に拡散することができる。
【００５６】
（５）着用時の変形対応
図７は、使い捨ておむつの着用状態を模式的に示した断面図である。使い捨ておむつ１０は、着用者に装着されると、着用者の両足によって挟まれる。使い捨ておむつ１０には、幅方向の外側から幅方向の内側に向かう力がかかる。このとき、第３領域４０３の外側縁が第１折り線よりも幅方向の外側に位置するため、幅方向の外側から幅方向の内側に向かう力は、第３領域４０３の外側縁にかかる。第３領域４０３は、変形することによって幅方向の外側から幅方向の内側に向かう力を吸収する。よって、第１領域４０１が当該力によって変形することを防ぐことができる。
【００５７】
また、第１接合部Ｒ１が設けられているため、使い捨ておむつ１０に対して幅方向の外側から幅方向の内側に向かって力がかかった際に、第１領域４０１と第２領域４０２の位置がずれることを抑制し、第１折り線ＦＬ１による折り構造が維持され易い。よって、第１領域４０１の意図しない変形及び吸収体全体が幅入りすることを防ぐことができ、着用者の股下に対して一定の幅で吸収体４０を配置できる。一定の幅を有する吸収体４０によって排泄物を吸収でき、排泄物の漏れを抑制できる。
【００５８】
吸収体の一対の第２折り線間には、第１領域４０１のみが配置され、一対の第２折り線ＦＬ２よりも幅方向外側には、第１領域、第２領域及び第３領域が配置される。そのため、一対の第２折り線ＦＬ２の間は、吸収体４０の厚みが比較的薄く、一対の第２折り線ＦＬ２よりも幅方向の外側の領域と比較して非肌対向面側Ｔ２に凹んでいる。吸収体４０の幅方向Ｗの中央が非肌対向面側Ｔ２に凹んでいるため、着用者と吸収体の間に前後方向に延びる空間を形成できる。当該空間によって体液を前後方向に拡散することができ、吸収体の前後方向の全域にわたって吸収性能を有効活用し易くなる。
【００５９】
一対の第２折り線ＦＬ２間の空間を挟んで両側には、第３領域４０３による壁が設けられている。着用時に幅方向Ｗの外側から幅方向Ｗの内側に向かう力がかかった際に第３領域４０３が着用者側に盛り上がるように変形すると、当該壁の高さが比較的高くなる。よって、体液の横漏れを抑制し、排泄物の漏れをより抑制できる。また、第２非接合部ＮＲ２が設けられているため、第１領域４０１と接合された第２領域４０２を基点にして左右の第３領域４０３が着用者側に盛り上がるように変形し、第３領域４０３の非肌対向面側Ｔ２に空間が形成される。第２領域４０２と第３領域４０３の間の空間によって排泄物を保持し、排泄物の漏れを抑制できる。
【００６０】
（６）変形例に係る吸収性物品
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【００６１】
本発明に係る高目付部及び低目付部は、実施形態に示す構成に限定されない。高目付部及び低目付部は、吸収体の厚みが一定の吸収コアにおいて、高目付部における吸収材料の密度が高く、低目付部における吸収材料の密度が低い構成、１層の吸収コアにおいて、高目付部における厚みが厚く、低目付部における厚みが薄い構成、及び２層の吸収コアにおいて、高目付部において２層が積層され、低目付部において１層が配置された構成のいずれかの構成であってよい。また、高目付部は、吸収体の外側縁に設けられていてもよい。
【００６２】
また、変形例に係る吸収性物品において、第１方向が幅方向であり、第２方向が前後方向であってよい。具体的には、高目付部が幅方向に延びており、前後方向において高目付部に隣接して低目付部が設けられ、当該低目付部の非肌対向面側にインジケータが設けられていてもよい。このような構成によっても、高目付部によって体液を幅方向に拡散し、かつ前後方向において高目付部に隣接する低目付部に引きこまれる体液の量を抑制できる。高目付部に隣接する低目付部の非肌対向面側にインジケータが配置されているため、体液が排出された際に、直ちにインジケータが変色せず、高目付部によって体液が幅方向に拡散した状態で反応し易いため、吸収コアの吸収性能を有効活用することができる。
【００６３】
また、第１方向及び第２方向は、前後方向及び幅方向に沿う方向のみならず、前後方向に対して傾斜していてもよいし、幅方向に対して傾斜していてもよい。
【００６４】
変形例において、第３領域の外側縁が第１折り線ＦＬ１よりも幅方向の内側に位置してもよい。当該変形例に係る吸収性物品は、重畳部よりも幅方向の外側に、第１領域及び第２領域が積層された低目付部が設けられる。
【符号の説明】
【００６５】
１０    ：吸収性物品
４０ａ          ：吸収コア
４０ｂ          ：コアラップ
４５            ：重畳部
４７            ：高目付部
４８            ：低目付部
４０１          ：第１領域
４０２          ：第２領域
４０３          ：第３領域
６０            ：外装シート（非肌面シート）
６０ａ          ：バックシート（非肌面シート）
Ｌ              ：前後方向
Ｔ              ：厚み方向
Ｗ              ：幅方向
ＦＬ１          ：第１折り線
ＦＬ２          ：第２折り線
Ｒ１            ：第１接合部
ＮＲ２          ：第２非接合部
【図１】
2018015469.tif 000003
【図２】
2018015469.tif 000004
【図３】
2018015469.tif 000005
【図４】
2018015469.tif 000006
【図５】
2018015469.tif 000007
【図６】
2018015469.tif 000008
【図７】
2018015469.tif 000009